(57)【要約】  本発明は、食品の表面を包むようにともに使用される、アルミ箔又は延伸フィルムのような製品を切断するのに用いられる機構に関し、当該機構は、家庭において、特に企業組織の調理場において用いられるように製造される。【選択図】図１
2014534906.tif 000002
【特許請求の範囲】
【請求項１】
本発明は、内部に含まれるアルミ箔又は延伸フィルムのような製品を切断するのに用いられる箱の形態である機械であって、カッター機構を有する本体（１４）；後部の長縁から前記本体（１４）に取り付けられる、正面の長縁に鋭利な歯を有する上側カバー（１）；前記本体（１４）内でロールが配置されるロールシャフト（２）；前記本体（１４）の壁の右側モジュール内において前記ロールシャフト（２）が配置されるロールシャフト軸受（２．１）；該ロールシャフト軸受の下側部分において前記ロールを前記軸受内に固定することを可能にする可撓性のロールシャフト固定爪（２１）；前記ロールシャフト（２）の他方の反対側の縁にあるプラス形状の穴（２．２）；前記ロールシャフト（２）の縁部分において前記プラス形状の穴（２．２）内に配置されるように位置決めされるコイルばねギヤ（１８）；該コイルばねギヤ（１８）に対して前記ロールシャフト（２）を配置するように位置決めされるプラス形状の突起（１８．１）；前記コイルばねギヤ（１８）の後方の中央の穴内のコイルばね；コイルばねギヤの爪（２０）；内部機構が配置される内部機構本体（１９）；内部機構本体カバー（１７）のコイルばねギヤ（１８）の後方のディテントギヤ（３）；ディテント（４）；その歯がディテントギヤの歯に係合し、ディテントギヤ（３）の運動を円錐状の伝達ギヤ（１６）に伝達するように位置決めされる伝達ギヤ（５）；（図３においてはっきりと分かるように）伝達ギヤ（５）に連結される円錐状の伝達ギヤ（１６）；該機械の正面において円錐状の伝達ギヤ（１６）に対して９０°の角度で垂直に位置決めされるとともに円錐状の伝達ギヤ（１６）の運動によって回転することが可能なカッターギヤ（６）；前記本体（１４）の上側前部において前記カバー（１）に接触する部分に位置決めされるジグザグの歯を有するカッター（８）であって、該カッターは、カッターギヤ（６）の運動によって前後に移動することによって前記箔又はフィルムの切断動作を行う、カッター（８）；中間部分にあるとともに前記カッターの前後移動を支持するように該カッターの真下に位置決めされるカッターばね（７）；上側カバーが前記本体に接続される２つの角部の近くに位置決めされる２つのカバーピン（１０）；該カバーピン（１０）に接触するようにカバーピンの真下に位置決めされるカバーばねピン（１１）；及び、カバーばねピン（１１）の下のカバーばね（１２）であって、該カバーばねは前記本体（１４）の底部に固定される、カバーばね（１２）を含むことを特徴とする機械。
【請求項２】
指穴（１３）が切断機の２つの外側端部に設けられることを特徴とする、請求項１に記載のアルミ箔及び延伸フィルムの切断機。
【請求項３】
ジグザグ歯を有することを特徴とする、請求項１に記載のカッター（８）。
【請求項４】
前記切断機を前記壁に取り付けることを可能にするように後端部に２つの穴が設けられることを特徴とする、請求項１〜３のいずれか一項に記載のアルミ箔及び延伸フィルムの切断機。
【発明の詳細な説明】
【技術分野】
【０００１】
本発明は、食品を保護するために食品を包むようにともに使用される、アルミ箔及び延伸フィルムのような製品を切断するのに用いられる機械構造に関し、当該機構は、家庭において、特に企業組織の調理場において用いられるように製造される。
【背景技術】
【０００２】
アルミ箔及び延伸フィルムは、とりわけ、食品の保存の際に食品を衛生的に包装するのに頻繁に用いられる製品である。これらの２つのタイプの製品は、使用目的に応じて食品に用いられるのが好ましい。加えて、これらの２つのタイプの製品は、種々の分野において、製品及び材料を保存し、製品及び材料の表面を包むのに用いられる。
【０００３】
アルミ箔は食品を高温状態又は低温状態で保護し；さらに、食品が調理中に乾燥して焦げることから保護する。したがって、焦げた結果として生じる有害な物質が抑えられる。食品は、アルミ箔によって包むことによって外的因子から保護することができる。アルミ箔は、様々な調理法を適用するため、オーブン調理中に食べ物を覆うため、肉加工食品を保存するため、また更にはプレートを用いることなく幾つかの食品を保存するために使用することができる。さらに、アルミ箔は、装飾的な面で視覚に訴える。
【０００４】
延伸フィルムは、多くの分野において、特に食品の保護において保存目的で用いられる別の包装製品である。延伸フィルムのおかげで、あらゆる食品をより長い期間にわたって新鮮な状態で保つことができる。さらに、グラスの縁が延伸フィルムで包まれて閉じられ、それによって内部の流体が注がれることが防止される。同様に、朝食を実用的に包んで新鮮に保つことができる。サンドイッチのような食品を、延伸フィルムによって包んで新鮮に保つことができ、移動中に清潔に保存することができる。Ｓｅｒａ延伸フィルムは、電子レンジにおける迅速で均一かつ完全な加熱を提供するのに用いることができる。食品は、水分を失って乾燥することなく加熱される。さらに、液状の食品がはねてオーブンの内部を汚すことが防止される。
【０００５】
上述の利点のおかげで頻繁に用いられるアルミ箔及び延伸フィルムは、使用されるときに必要な量だけ切り取られるべきである。しかし、それぞれ、薄板状の形態及び極めて可撓性の構造のような特徴に起因して、カッターが用いられる場合であっても、延伸フィルムはナイフ等の器具に付着し；アルミ箔はその繊細な構造のために小片に破れ、これらの小片は小さすぎて使用することができず、様々なサイズを有し、また場合によっては、切断された小片にしわが寄り、切断又は分割しようとした点において自身に付着するため、ユーザーがアルミ箔及び延伸フィルムを所望のサイズに適切かつ一様に切断することはかなり難しい。その結果、アルミ箔又は延伸フィルムを使用する間にかなりの時間が無駄になり；実際には、我々の日常生活に役立つことが意図されるそれらの製品が、そのような製品から期待されることとは対照的に、ユーザーにとって面倒なものとなる可能性がある。アルミ箔又は延伸フィルムの使用中に起こる面倒の結果として余分に無駄になる小片のために、製品が必要以上に消費され、これによって材料が損なわれる。
【０００６】
現在使用されているアルミ箔及び延伸フィルムは、箱パッケージに入ってロール巻き形態で販売されており、上記箱は、長辺に開口部分を有し、同じく上記長辺に位置決めされる鋭利なギザギザのある縁を有するカッターを有するように構成されている。しかし、そのような切断器具は両手の使用を必要とし；さらに、箔又はフィルムは、それらが取り付けられているカッター構造にもかかわらずロールから等しいサイズで適切に取り出すことができず、カッターに沿った一様な切断作業を行うことができない。
【０００７】
延伸フィルム又はアルミ箔を箱から取り出して切断した後、非常に短い小片が残り、当該小片が箱に付着する。したがって、その後の使用において箔を保持することが極めて難しくなる。別の不都合な特徴は、箔のロールは、箱内の固定軸を中心に回転しないため、取り出される際に握るように押し出される場合があり；実際には、ロールは更に押されると箱から出てしまう可能性がある。場合によっては、両手で取り出される延伸フィルムは、一端部を切断しようと離すときに互いに付着し、使用できなくなる可能性がある。
【０００８】
本発明によるアルミ箔及び延伸フィルムの切断機は、現在の箔及び延伸フィルムの切断装置に関する上述の問題をなくし、大幅に使いやすくする解決策を提供する。
【発明の概要】
【発明が解決しようとする課題】
【０００９】
本発明の目的は、アルミ箔又は延伸フィルムが固定軸上に巻き付けられるロールを配置することによって一様な箔の流れを提供すること、及び、ロールが箱から出ることを防止することである。さらに、本発明の機械機構は、ユーザーが容易に使用することを可能にし、箔又はフィルムを一様に切断することを可能にする。本発明による切断機は、その構造内のロールシャフトのおかげで、任意の寸法のロールを用いることを可能にする。
【課題を解決するための手段】
【００１０】
上述したように、本発明のアルミ箔及び延伸フィルムの切断機は、プラスチック誘導体延伸フィルム又はアルミ箔製品を容易にかつ適切に切断することが可能であり；加えて、例えばオーブンペーパー、薄いペーパーロール等を真っ直ぐに方向付けることによってロールを通じて切断することも特徴とする。
【図面の簡単な説明】
【００１１】
【図１】アルミ箔及び延伸フィルムの切断機の、そのカバーが開放されているときの正面斜視図である。
【図２】箱へのロールシャフトの取り付けを示す斜視図である。
【図３】ギヤシステムが取り外されたときのアルミ箔及び延伸フィルムの切断機の斜視図である。
【図４】アルミ箔及び延伸フィルムの切断機の上側カバーの斜視図である。
【図５】アルミ箔及び延伸フィルムの切断機の本体の正面図である。
【図６】ロールシャフトの斜視図である。
【図７】本体の右側モジュールに取り付けられているときのロールシャフトの上面斜視図である。
【図８】アルミ箔及び延伸フィルムの切断機の本体の右側モジュールの斜視図である。
【発明を実施するための形態】
【００１２】
アルミ箔又は延伸フィルムを内部に有する箱の形態である機械であるとともにこれらの製品を切断するのに用いられる本発明は、カッター機構を有する本体（１４）；後部の長縁から本体（１４）に取り付けられる、正面の長縁に鋭利な歯を有する上側カバー（１）；本体（１４）内でロールが配置されるロールシャフト（２）；本体（１４）の壁の右側モジュール内においてロールシャフト（２）が配置されるロールシャフト軸受（２．１）；ロールシャフト軸受の下側部分においてロールを軸受内に固定することを可能にする可撓性のロールシャフト固定爪（２１）；ロールシャフト（２）の他方の反対側の縁にあるプラス形状の穴（２．２）；ロールシャフト（２）の縁部分においてプラス形状の穴（２．２）内に配置されるように位置決めされるコイルばねギヤ（１８）；コイルばねギヤ（１８）に対してロールシャフト（２）を配置するように位置決めされるプラス形状の突起（１８．１）；コイルばねギヤ（１８）の後方の中央の穴内のコイルばね；コイルばねギヤの爪（２０）；内部機構が配置される内部機構本体（１９）；内部機構本体カバー（１７）のコイルばねギヤ（１８）の後方のディテントギヤ（３）；ディテント（４）；その歯がディテントギヤの歯に係合し、ディテントギヤ（３）の運動を円錐状の伝達ギヤ（１６）に伝達するように位置決めされる伝達ギヤ（５）；（図３においてはっきりと分かるように）伝達ギヤ（５）に連結される円錐状の伝達ギヤ（１６）；切断機の正面において円錐状の伝達ギヤ（１６）に対して９０°の角度で垂直に位置決めされるとともに円錐状の伝達ギヤ（１６）の運動によって回転することが可能なカッターギヤ（６）；本体（１４）の上側前部においてカバー（１）に接触する部分に位置決めされるジグザグの歯を有するカッター（８）であって、当該カッターは、カッターギヤ（６）の運動によって前後に移動することによって箔又はフィルムの切断動作を行う、カッター（８）；中間部分にあるとともにカッターの前後移動を支持するようにカッターの真下に位置決めされるカッターばね（７）；上側カバーが本体に接続される２つの角部の近くに位置決めされる２つのカバーピン（１０）；カバーピン（１０）に接触するようにカバーピンの真下に位置決めされるカバーばねピン（１１）；及び、カバーばねピン（１１）の下のカバーばね（１２）であって、当該カバーばねは本体（１４）の底部に固定される、カバーばね（１２）を含む。
【００１３】
本発明によるアルミ箔及び延伸フィルムの切断機の２つの外側端部に設けられている穴は、上側カバー（１）が閉状態にあるときにユーザーが自身の指を入れることによって２つの端部から内部の箔を容易に保持することを可能にする指穴（１３）である。同時に指を上昇させることによって上側カバー（１）が開くだけではなく箔を全く困難なく取り出すことも可能となる。
【００１４】
本発明によるアルミ箔及び延伸フィルムの切断機のロールシャフト（２）の正面かつカッター（８）の真後ろには送達しきい（１５）が設けられている。ロールシャフト（２）にロール巻きにされている箔又はフィルムの一巻きは送達しきい（１５）から繰り出され、カバー（１）の歯との間で押圧された箔は延伸位置にある。すなわち、本発明のロールシャフト（２）は、ロールを固定軸上に固定することによって適切な箔の流れを提供する。さらに、本発明のロールシャフト（２）は、ロールが出てしまうことを防止し、取り付けられているばねのおかげで任意の直径のロールを使用することを可能にする。
【００１５】
本体（１４）の後縁には、上記アルミ箔及び延伸フィルムの切断機の容易な使用を提供するように壁取り付け穴（９）がある。これらの穴（９）のおかげで、切断機を後方から壁に取り付けることができ、ユーザーの身長に従って所望の場所に固定することができ、それによってスペースの節減を提供する。
【００１６】
本発明によるアルミ箔及び延伸フィルムの切断機の動作機構は以下のように説明される：
アルミ箔及び延伸フィルムの切断機に含まれるロールシャフト（２）を延伸ロールの中に通した後で、ロールシャフトのプラス形状の穴（２．２）を、ロールを箱に固定したままで、コイルばねギヤ（１８）のプラス形状の突起（１８．１）にきちんと嵌まるように挿入する。したがって、延伸／アルミ箔が、箱から取り出されると同時にそれが取り付けられているロールシャフト（２）を回転させ、ロールシャフト（２）はそれが取り付けられているコイルばねギヤ（１８）を回転させる。コイルばねはコイルばねギヤ（１８）の内部に設けられており、内部からディテントギヤ（３）の端部のノッチに取り付けられている。図２に示されているように、内部機構本体（１９）のコイルばねギヤの爪（２０）が、ギヤがロールの引っ張り方向にのみ回転することを可能にする。コイルばねの他方の端部が取り付けられているディテントギヤ（３）は、ディテントによって保持されているため回転することができず、それによってばねが巻き付けられる。上側カバー（１）が閉じられるとディテント（４）によって解放されるディテントギヤ（３）は（図３）、巻き付けられるばねの影響で回転し始め、平滑な伝達ギヤ（５）も回転させる。平滑な伝達ギヤ（５）に取り付けられている円錐状の伝達ギヤ（１６）はカッターギヤ（６）を回転させる。カッターギヤ（６）の回転運動によってカッターの前後運動が可能となる。したがって、ジグザグ歯の下で上側カバー（１）と本体（１４）との間で押圧される延伸フィルムが切断される。
【００１７】
図面に示されているアルミ箔及び延伸フィルムの切断機の部分には個々に符号が付されており、対応する符号を以下に示す：
【符号の説明】
【００１８】
１  上側カバー
２  ロールシャフト
２．１  ロールシャフト軸受
２．２  プラス形状の穴
３  ディテントギヤ
４  ディテント
５  平滑な伝達ギヤ
６  カッターギヤ
７  カッターばね
８  カッター
９  壁取り付け穴
１０  カバーピン
１１  カバーばねピン
１２  カバーばね
１３  指穴
１４  本体
１５  送達しきい
１６  円錐状の伝達ギヤ
１７  内部機構本体カバー
１８  コイルばねギヤ
１８．１  プラス形状の突起
１９  内部機構本体
２０  コイルばねギヤの爪
２１  ロールシャフト固定爪
【図１】
2014534906.tif 000003
【図２】
2014534906.tif 000004
【図３】
2014534906.tif 000005
【図４】
2014534906.tif 000006
【図５】
2014534906.tif 000007
【図６】
2014534906.tif 000008
【図７】
2014534906.tif 000009
【図８】
2014534906.tif 000010
【国際調査報告】
2014534906.tif 000011
2014534906.tif 000012